(57)【要約】【課題】コンバータを電力貯蔵手段が必要とするときのみ動作させる手段を有した常時商用給電方式無停電電源装置を提供する。【解決手段】商用電源の交流を直流に変換するコンバータの出力電圧を検出する直流電圧検出信号と直流回路部の電流を検出する直流電流検出信号を入力してコンバータの電流振幅基準を発生する直流電圧制御回路と、商用電源の交流電力の電圧位相を検出する電圧位相検出信号と直流電圧制御回路の出力からコンバータの電流を検出信号が一致するようにコンバータの出力電圧指令信号を作成する電流制御回路と、電流制御回路からのコンバータ出力電圧指令に基づきコンバータのスイッチング素子のゲートを制御するゲート制御回路と、商用電源が停電時、電力貯蔵手段から電力を受け交流出力を行うインバータとを備え、さらに、タイマー回路の出力により定期的に電力貯蔵手段を充電する充電回路を備えているので、コンバータを電力貯蔵手段が必要とする分だけ動作させることにより、装置運転効率がよく、長寿命な常時商用給電方式無停電電源装置を提供できる。【選択図】  図１
2004229349.tif 000002
【特許請求の範囲】
【請求項１】
商用電源から供給される交流を直流に変換するコンバータと、前記コンバータの出力電圧を検出する直流電圧検出器と、直流回路部の電流を検出する電流検出器と、前記直流電圧検出信号と直流電流検出信号を入力して前記コンバータの電流振幅基準を発生する直流電圧制御回路と、前記商用電源からの交流電力の電圧位相を検出するＰＬＬ回路と、前記ＰＬＬ回路からの電圧位相検出信号と，前記直流電圧制御回路の出力からコンバータの電流を検出する電流検出回路からの検出信号が一致するように前記コンバータの出力電圧指令信号を作成する電流制御回路と、前記電流制御回路からのコンバータ出力電圧指令に基づき前記コンバータのスイッチング素子のゲートを制御するゲート制御回路と、前記交流電力の供給及び遮断を行う半導体スイッチと、前記商用電源が停電時、電力貯蔵手段から電力を受け交流出力を行うインバータとを備えた常時商用給電方式無停電電源装置において、タイマー回路の出力により定期的に電力貯蔵手段を充電する充電回路を備えたことを特徴とする常時商用給電方式無停電電源装置。
【請求項２】
請求項１記載の常時商用給電方式無停電電源装置において、直流電圧を検出する直流電圧検出器と、この直流電圧検出信号により電力貯蔵手段を充電する充電回路を備えたことを特徴とする常時商用給電方式無停電電源装置。
【請求項３】
請求項１記載の常時商用給電方式無停電電源装置において、インバータ運転したことを検出する検出回路と、この検出信号により電力貯蔵手段を充電する充電回路を備えたことを特徴とする常時商用給電方式無停電電源装置。
【請求項４】
請求項１記載の常時商用給電方式無停電電源装置において、タイマー回路の出力により定期的に電力貯蔵手段を充電する充電回路と、直流電圧を検出する直流電圧検出器と、この直流電圧検出信号により電力貯蔵手段を充電する充電回路を備えたことを特徴とする常時商用給電方式無停電電源装置。
【請求項５】
請求項１記載の常時商用給電方式無停電電源装置において、タイマー回路の出力より定期的に電力貯蔵手段を充電する充電回路と、インバータ運転したことを検出する検出回路と、この検出信号により電力貯蔵手段を充電する充電回路を備えたことを特徴とする常時商用給電方式無停電電源装置。
【請求項６】
請求項１記載の常時商用給電方式無停電電源装置において、直流電圧を検出する直流電圧検出器と、この直流電圧検出信号により電力貯蔵手段を充電する充電回路と、インバータ運転したことを検出する検出回路と、この検出信号により電力貯蔵手段を充電する充電回路を備えたことを特徴とする常時商用給電方式無停電電源装置。
【請求項７】
請求項１記載の常時商用給電方式無停電電源装置において、タイマー回路の出力より定期的に電力貯蔵手段を充電する充電回路と、直流電圧を検出する直流電圧検出器と、この直流電圧検出信号により電力貯蔵手段を充電する充電回路と、インバータ運転したことを検出する検出回路と、この検出信号により電力貯蔵手段を充電する充電回路を備えたことを特徴とする常時商用給電方式無停電電源装置。
【発明の詳細な説明】
【０００１】
【発明の属する技術分野】
本発明は、商用電源から電力貯蔵装置を充電する充電回路を備えた常時商用給電方式無停電電源装置に関する。
【０００２】
【従来の技術】
従来の無停電電源装置は、常時インバータ給電方式であるため、コンバータは常時作動しており、直流電解コンデンサの劣化防止や冷却装置の小型化もしくはレス化はのぞめなかった（特開平４−３１２３２号公報参照）。
【０００３】
また、蓄電池の残容量に関係なく蓄電池を正確に満充電できる充電制御回路（特開平３−３２３２７号公報参照）が提案されているが、充電開始時の蓄電池の容量に関係なく蓄電池を満充電し、さらに、充電回路がチョッパ回路で構成されるため、チョッパ動作時は高調波を系統に出力する等の問題があった。
【０００４】
さらに、常時商用給電方式無停電電源装置が提案されており、この従来技術を図１１の回路構成図を参照して説明する。
図において、切換回路２は負荷５への電力供給をインバータ１と商用電源６のいずれかを切り換えるために用いられる。切換回路２は接触器３と半導体スイッチ４で構成されているが、いずれか一方だけでも構わない。接触器３は、主に半導体スイッチ４の過電流保護に用いる。
【０００５】
常時は切換回路２内の半導体スイッチ４がオンとなり、商用電源６から負荷５への給電が行われるが、商用電源６の停電等による異常発生時には、切換回路２内の半導体スイッチ４をオフし、インバータ１から負荷５へ給電が行われる。インバータ１の入力側には、商用電源６からコンバータ７と、コンバータ７の出力を平滑化する直流コンデンサ８と、インバータ運転時の電力源となる蓄電池９が接続されている。
【０００６】
コンバータ７は電力蓄積要素である蓄電池９を充電し、インバータ運転時の電力を電力蓄積要素に蓄えさせることを目的としており、この目的のために、コンバータ制御回路１０は、入力電圧検出器１１からの入力電圧検出信号１２と、入力電流検出器１３ａからの入力電流検出信号１４と、直流電圧検出器１５からの直流電圧検出信号１６と、充電電流検出器１３ｂからの充電電流検出信号１７とを入力とし、コンバータゲート信号１８を出力している。
コンバータ制御回路１０は、図１２に示すように、直流電圧制御回路２１とＰＬＬ回路２３と入力電流制御回路２５とゲート制御回路２７を備えている。
【０００７】
直流電圧制御回路２１は、直流電圧検出信号１６と充電流検出信号１７を入力し、電力蓄積要素である蓄電池９を充電するために、浮動充電電圧指令もしくは定格充電電流指令等の指令値に合わせ込むように制御を行う。また、ＰＬＬ回路２３は入力電圧信号１２を入力し、出力はコンバータ基準位相２４として入力電流制御回路２５に入力される。直流電圧制御回路２１の出力は、入力電流振幅指令２２として入力電流制御回路２５に入力される。また、入力電圧信号１２および入力電流信号１４も入力電流制御回路２５に入力されている。この入力電流制御回路２５は各相毎のコンバータ制御指令２６をゲート制御回路２７に入力し、ゲート制御回路２７はコンバータゲート信号１８を出力する。
インバータ１についてもインバータ制御回路が設けられているが、ここでは説明を省略している。
【０００８】
また、コンバータ７の回路は図１３に示すように、スイッチング素子３１ａ〜３１ｆと、ダイオード３２ａ〜３２ｆと、ゲート駆動回路３４を備えている。スイッチング素子３１ａ，３１ｃ，３１ｅの各コレクタは直流コンデンサ８の一方の端子に接続され、これらのスイッチング素子には各々逆並列にダイオード３２ａ，３２ｃ，３２ｅが接続されている。これらは直流電圧部のＰ側としてコンバータ出力３３となっている。また、スイッチング素子３１ｂ，３１ｄ，３１ｆの各エミッタは直流コンデンサ８の他方の端子に接続され、これらのスイッチング素子には各々逆並列にダイオード３２ｂ，３２ｄ，３２ｆが接続されている。これらは直流電圧部のＮ側としてコンバータ出力３３となっている。
【０００９】
ゲート駆動回路３４にはコンバータゲート信号１８が入力されている。各スイッチング素子３１ａ〜３１ｆには個別または一括にスイッチング時のサージ電圧抑制用のスナバ回路が設けられているがここでは説明を簡単にするため省略している。コンバータゲート信号１８に対し、ゲート駆動回路３４は上下直列に接続されたスイッチング素子、例えば３１ａ，３１ｂが同時にオンすることを防止する「デッドタイム」を生成したり、あるいは各スナバ回路の充放電の期間を確保したりする。コンバータ７はパルス幅変調（ＰＷＭ）により直流コンデンサ８の直流電圧を制御することにより、電力蓄積要素である蓄電池９を充電する。
【００１０】
また、コンバータ制御回路１０内の直流電圧制御回路２１は、図１４に示すように、リミッタ回路３６とＰＩ制御回路３８を備えている。
図において、直流電圧基準信号３５の出力は一定の直流電圧を出力する。電力蓄積要素である蓄電池９の特性に合わせて、各種基準電圧を設定する回路を設けることもあるがここでは説明を簡単にするため省略している。直流電圧基準信号３５は充電電流検出信号１７を入力とするリミッタ回路３６の出力との差分をとった直流電圧指令３７を出力する。リミッタ回路３６は、充電電流検出信号１７により所定の充電電流に制御することを目的としており、ここでは、リミッタ回路で構成しているが各種制御方式を用いて所定充電電流に制御するようにしても構わない。直流電圧指令３７と直流電圧検出信号１６との差分がＰＩ制御回路３８の入力となっている。ＰＩ制御回路３８の出力は入力電流振幅基準２２となる。
【００１１】
なお、電圧制御としてＰＩ制御を用いた例を示しているが、ＰＩＤ制御やＩ−Ｐ制御その他の一般的な制御手法や現代制御理論などを用いた制御回路でも構わない。
【００１２】
また、コンバータ制御回路１０内の入力電流制御回路２５は、図１５に示すように、乗算機４１ａ〜４１ｃと、Ｐ制御回路４２ａ〜４２ｃを備えている。
図において、入力電流振幅基準２２と、ＰＬＬ回路２３の出力である電圧位相２４ａ〜２４ｃとは乗算器４１ａ〜４１ｃに接続されており、乗算器４１ａ〜４１ｃの出力はＵ相、Ｖ相、Ｗ相の交流入力電流基準となる。交流入力電流基準は入力電流検出信号１４との差分を各々とり、Ｐ制御回路４２ａ〜４２ｃに各々入力される。
【００１３】
Ｐ制御回路４２ａ〜４２ｃは入力電流検出信号１４が入力電流基準に追従するように制御を行う。なお、電圧制御としてＰ制御を用いた例を示しているが、ＰＩＤ制御やＩ−Ｐ制御その他の一般的な制御手法や現代制御理論などを用いた制御回路でも構わない。特に、高速化や安定化を図る意味で入力電流の後段または前段あるいは並列に、入力電圧などのオフセットを付加することがあっても構わない。ここでは、後段に入力電圧検出信号１２を各相毎に加算して、入力電圧指令２６としている。
【００１４】
また、本例は１相毎に個別に制御を行う構成であるが、公知のｄ−ｑ軸理論を用いて、３相の電流、電圧を振幅成分と位相成分に分けた制御回路構成としても構わない。
【００１５】
また、コンバータ制御回路１０内のゲート制御回路２７は、図１６に示すように、キャリア発生回路４３とコンパレータ４４ａ〜４４ｃと、ゲート信号出力回路４５ａ〜４５ｃを備えている。
【００１６】
図において、入力電圧指令２６はキャリア発生回路４３との差分を各々とり、コンパレータ４４ａ〜４４ｃに入力し、その出力はゲート信号出力回路４５ａ〜４５ｃに入力される。ゲート信号出力回路４５ａ〜４５ｃの出力はコンバータゲート信号１８となる。本例は、一般的に言われる三角波比較方式を示しているが、ゲートパルスの発生手法は特に限定しない。
【００１７】
【特許文献１】
特開平４−３１２３２号公報
【特許文献２】
特開平３−３２３２７号公報
【００１８】
【発明が解決しようとする課題】
しかしながら、従来の常時商用給電方式無停電電源装置では、コンバータは電力貯蔵手段へ電力を供給することを目的としているため、電力貯蔵手段が例えば蓄電池である場合、蓄電池が満充電状態になった後、コンバータ動作自体が不要動作となり、熱的な損失発生やコンバータのスイッチングリプルにより直流回路を構成する電解コンデンサの劣化を引き起こすという問題があった。
【００１９】
本発明は、上記状況に対処するためになされたもので、その課題は、コンバータを電力貯蔵手段が必要とするときのみ動作させる手段を有した常時商用給電方式無停電電源装置を提供することにある。
【００２０】
【課題を解決するための手段】
本発明は、上記課題を解決するために、請求項１に記載の発明は、商用電源から供給される交流を直流に変換するコンバータと、前記コンバータの出力電圧を検出する直流電圧検出器と、直流回路部の電流を検出する電流検出器と、前記直流電圧検出信号と直流電流検出信号を入力して前記コンバータの電流振幅基準を発生する直流電圧制御回路と、前記商用電源からの交流電力の電圧位相を検出するＰＬＬ回路と、前記ＰＬＬ回路からの電圧位相検出信号と，前記直流電圧制御回路の出力からコンバータの電流を検出する電流検出回路からの検出信号が一致するように前記コンバータの出力電圧指令信号を作成する電流制御回路と、前記電流制御回路からのコンバータ出力電圧指令に基づき前記コンバータのスイッチング素子のゲートを制御するゲート制御回路と、前記交流電力の供給及び遮断を行う半導体スイッチと、前記商用電源が停電時、電力貯蔵手段から電力を受け交流出力を行うインバータとを備えた常時商用給電方式無停電電源装置において、タイマー回路の出力により定期的に電力貯蔵手段を充電する充電回路を備えたことを特徴とする。
【００２１】
請求項２に記載の発明は、請求項１記載の常時商用給電方式無停電電源装置において、直流電圧を検出する直流電圧検出器と、この直流電圧検出信号により電力貯蔵手段を充電する充電回路を備えたことを特徴とする。
【００２２】
請求項３に記載の発明は、請求項１記載の常時商用給電方式無停電電源装置において、インバータ運転したことを検出する検出回路と、この検出信号により電力貯蔵手段を充電する充電回路を備えたことを特徴とする。
【００２３】
請求項４に記載の発明は、請求項１記載の常時商用給電方式無停電電源装置において、タイマー回路の出力により定期的に電力貯蔵手段を充電する充電回路と、直流電圧を検出する直流電圧検出器と、この直流電圧検出信号により電力貯蔵手段を充電する充電回路を備えたことを特徴とする。
【００２４】
請求項５に記載の発明は、請求項１記載の常時商用給電方式無停電電源装置において、タイマー回路の出力より定期的に電力貯蔵手段を充電する充電回路と、インバータ運転したことを検出する検出回路と、この検出信号により電力貯蔵手段を充電する充電回路を備えたことを特徴とする。
【００２５】
請求項６に記載の発明は、請求項１記載の常時商用給電方式無停電電源装置において、直流電圧を検出する直流電圧検出器と、この直流電圧検出信号により電力貯蔵手段を充電する充電回路と、インバータ運転したことを検出する検出回路と、この検出信号により電力貯蔵手段を充電する充電回路を備えたことを特徴とする。
【００２６】
請求項７に記載の発明は、請求項１記載の常時商用給電方式無停電電源装置において、タイマー回路の出力より定期的に電力貯蔵手段を充電する充電回路と、直流電圧を検出する直流電圧検出器と、この直流電圧検出信号により電力貯蔵手段を充電する充電回路と、インバータ運転したことを検出する検出回路と、この検出信号により電力貯蔵手段を充電する充電回路を備えたことを特徴とする。
【００２７】
請求項１乃至請求項７に記載の発明によると、コンバータを電力貯蔵手段が必要とする分だけ動作させることにより、装置運転効率がよく、長寿命な常時商用給電方式無停電電源装置を提供することができる。
【００２８】
【発明の実施の形態】
以下、本発明の実施の形態を図を参照して説明する。
図１は本発明の第１実施形態の常時商用給電方式無停電電源装置の回路図であり、本実施形態が従来の図１２の常時商用給電方式無停電電源装置と異なる構成は、タイマー回路５１が付加され、タイマー回路出力がコンバータ操作信号５２として直流電圧制御回路２１及びゲート制御回路２７に入力されている点であり、その他の構成は同一であるので、同一部分には同一符号を付してその説明は省略する。
【００２９】
本実施形態に係るタイマー回路５１は図２に示すような構成であり、このタイマー回路５１内のカウント出力５３により、あらかじめ決められた時間分、例えば、２時間ごとに運転時間１０分というようにコンバータ運転信号を生成し、ホールド回路５４は前記カウントに基づき決められた時間だけコンバータ操作信号５２を出力する構成となっている。
【００３０】
また、前記直流電圧制御回路２１は、図３に示すような構成であり、この直流電圧制御回路２１が、従来の図１４の直流電圧制御回路と異なる構成は、コンバータ操作信号５２により直流電圧基準をオン、オフするために切換回路５５ａを付加した点と、ＰＩ制御回路３８の出力側にも前記コンバータ操作信号５２を入力し、制御演算出力をオン、オフするための切換回路５５ｂを付加した点であり、その他の構成は同一であるので、同一部分には同一符号を付してその説明は省略する。また、ＰＩ制御回路内の演算回路もリセットすることもあるがここでは省略する。
【００３１】
また、前記ゲート制御回路２７は、図４に示すように、従来の図１６のゲート制御回路と異なる構成はコンバータ操作信号５２により、各相のコンバータゲート信号出力１８をオン、オフするために切換回路５５ｃ〜５５ｅを付加した点であり、その他の構成は同一であるので、同一部分には同一符号を付してその説明は省略する。
【００３２】
次に、本実施形態の動作を説明すると、タイマー回路５１により所定の時間をカウントし、カウント時間分に相当するコンバータの運転時間をあらかじめ設定しておくと、設定した時間分だけコンバータを動作させることができる。コンバータの運転時間は、直流回路部の損失およびインバータ運転による放電量をあらかじめ検討しておくことにより設定する。
したがって、コンバータを最適に運転させることが可能となり、装置運転効率が良く、長寿命の常時商用給電方式無停電電源装置を提供することができる。
【００３３】
図５は本発明の第２実施形態の常時商用給電方式無停電電源装置の回路図であり、図１の第１実施形態のコンバータ制御回路と異なる構成は、タイマー回路５１の代りに直流電圧判定回路５６を設けた点であり、その他の構成は同一であるので、同一部分には同一符号を付してその説明は省略する。
【００３４】
本実施形態のコンバータ制御回路１０は、直流電圧検出信号１６を入力とする直流電圧判定回路５６を設けているので、直流電圧低下レベルに応じて、コンバータの運転時間を決定し、コンバータ操作信号５２を出力する。このコンバータ操作信号５２は直流電圧制御回路２１及びゲート制御回路２７に接続されている。
【００３５】
次に、本実施形態の動作を説明すると、直流電圧判定回路５６により、直流電圧の低下レベルに対応して電力蓄積要素の蓄積量もしくは低減量を算定し、電力蓄積要素に対して所定の電力蓄積量に回復するまでのコンバータ運転時間を設定することができる。
【００３６】
電力蓄積要素が例えば蓄電池である場合、自然放電に対する電圧レベルとインバータ運転による放電後の電圧レベルを有している。特に直流電圧レベルと運転時間とに関して前記２種類には限定しない。これ以降の動作は図１の第１実施形態で説明した動作と同じなのでその説明を省略する。
【００３７】
図６は本発明の第３実施形態の常時商用給電方式無停電電源装置の回路図であり、図１の第１実施形態のコンバータ制御回路と異なる構成は、タイマー回路５１の代りにインバータ運転判定回路５８を設けた点であり、その他の構成は同一であるので、同一部分には同一符号を付してその説明は省略する。
【００３８】
本実施形態のコンバータ制御回路１０は、電流検出回路１３Ｃよりインバータ電流検出信号５７を検出してこの検出信号５７をインバータ運転判定回路５８に入力している。インバータ運転判定回路５８では、インバータが動作した時間をカウントし、カウントした動作時間に対してコンバータの運転時間を決定し、コンバータ操作信号５２を出力する。コンバータ操作信号５２は直流電圧制御回路２１及びゲート制御回路２７に接続されている。
【００３９】
本実施形態の動作を説明すると、インバータ運転判定回路５８により、インバータの運転時間に対応して電力蓄積要素の蓄積量もしくは低減量を算定し、該電力蓄積要素に対して所定の電力蓄積量に回復するまでのコンバータ運転時間を設定する。
【００４０】
インバータ運転判定に際して、ここではインバータ電流を用いたが、これ以外にインバータ電圧あるいはインバータゲート等インバータ運転が確認できるものであればいずれでも構わない。これ以降の動作は図１で説明した動作と同じなのでその説明を省略する。
【００４１】
図７は本発明の第４実施形態の常時商用給電方式無停電電源装置の回路図であり、図１の第１実施形態のコンバータ制御回路と異なる構成は、タイマー回路５１に直流電圧判定回路５６が付加され、各々の出力が論理和回路５９に入力され、論理和回路５９の出力はコンバータ操作信号５２として出力される構成となっている点であり、その他の構成は同一であるので、同一部分には同一符号を付してその説明は省略する。
【００４２】
本実施形態の動作を説明すると、図１の第１実施形態及び図５の第２実施形態において説明した動作を組み合わせることにより、電力蓄積要素をより確実にかつ十分なバックアップ状態に維持することができる。
【００４３】
図８は本発明の第５実施形態の常時商用給電方式無停電電源装置の回路図であり、図１の第１実施形態のコンバータ制御回路と異なる構成は、タイマー回路５１にインバータ運転判定回路５８が付加され、各々の出力が論理和回路５９に入力され、論理和回路５９の出力はコンバータ操作信号５２として出力される構成となっている点であり、その他の構成は同一であるので、同一部分には同一符号を付してその説明は省略する。
【００４４】
本実施形態の動作を説明すると、図１の第１実施形態及び図６の第３実施形態において説明した動作を組み合わせることにより、電力蓄積要素をより確実にかつ十分なバックアップ状態に維持することができる。
【００４５】
図９は本発明の第６実施形態の常時商用給電方式無停電電源装置の回路図であり、図１の第１実施形態のコンバータ制御回路と異なる構成は、タイマー回路５１の代りに直流電圧判定回路５６とインバータ運転判定回路５８が付加され、各々の出力が論理和回路５９に入力され、論理和回路５９の出力はコンバータ操作信号５２として直流電圧制御回路２１及びゲート制御回路２７に出力される構成となっている点であり、その他の構成は同一であるので、同一部分には同一符号を付してその説明は省略する。
【００４６】
本実施形態の動作を説明すると、図５の第２実施形態及び図６の第３実施形態において説明した動作を組み合わせることにより、電力蓄積要素をより確実にかつ十分なバックアップ状態に維持することができる。
【００４７】
図１０は本発明の第７実施形態の常時商用給電方式無停電電源装置の回路図であり、図１の第１実施形態のコンバータ制御回路と異なる構成は、タイマー回路５１に直流電圧判定回路５６とインバータ運転判定回路５８が付加され、各々の出力が論理和回路５９に入力され、論理和回路５９の出力はコンバータ操作信号５２及びゲート制御回路２７に出力される構成となっている点であり、その他の構成は同一であるので、同一部分には同一符号を付してその説明は省略する。
【００４８】
本実施形態の動作を説明すると、図１の第１実施形態，図５の第２実施形態及び図６の第３実施形態において説明した動作を組み合わせることにより、電力蓄積要素をより確実にかつ十分なバックアップ状態に維持することができる。
【００４９】
【発明の効果】
以上説明したように、本発明の常時商用給電方式無停電電源装置によると、コンバータを電力蓄積要素が必要とする時だけ動作させることにより、装置運転効率がよく、長寿命な装置を提供することができる。
【図面の簡単な説明】
【図１】本発明の第１実施形態の常時商用給電方式無停電電源装置の回路図。
【図２】図１のコンバータ制御回路内のタイマー回路の構成図。
【図３】図１のコンバータ制御回路内の直流電圧制御回路図。
【図４】図１のコンバータ制御回路内のゲート制御回路図。
【図５】本発明の第２実施形態の常時商用給電方式無停電電源装置の回路図。
【図６】本発明の第３実施形態の常時商用給電方式無停電電源装置の回路図。
【図７】本発明の第４実施形態の常時商用給電方式無停電電源装置の回路図。
【図８】本発明の第５実施形態の常時商用給電方式無停電電源装置の回路図。
【図９】本発明の第６実施形態の常時商用給電方式無停電電源装置の回路図。
【図１０】本発明の第７実施形態の常時商用給電方式無停電電源装置の回路図。
【図１１】従来の常時商用給電方式無停電電源装置の回路図。
【図１２】図１１の常時商用給電方式無停電電源装置のコンバータ制御回路図。
【図１３】図１１の常時商用給電方式無停電電源装置のコンバータの回路図。
【図１４】図１１の常時商用給電方式無停電電源装置に用いるコンバータ制御回路内の直流電圧制御回路図。
【図１５】図１１の常時商用給電方式無停電電源装置に用いるコンバータ制御回路内の入力電流制御回路図。
【図１６】図１１の常時商用給電方式無停電電源装置に用いるコンバータ制御回路内のゲート制御回路図。
【符号の説明】
１…インバータ、２…切換回路、３…接触器、４…半導体スイッチ、５…負荷、６…商用電源、７…コンバータ、８…直流コンデンサ、９…蓄電池、１０…コンバータ制御回路、１１…電圧検出器、１２…入力電圧検出信号、１３…電流検出器、１４…入力電流検出信号、１５…直流電圧検出器、１６…直流電圧検出信号、１７…直流電流検出信号、１８…コンバータゲート信号、２１…直流電圧制御回路、２２…入力電流振幅指令、２３…ＰＬＬ回路、２４…コンバータ基準位相、２５…入力電流制御回路、２６…コンバータ制御指令、２７…ゲート制御回路、３１…スイッチング素子、３２…ダイオード、３３…コンバータ出力、３４…ゲート駆動回路、３５…直流電圧基準信号、３６…リミッタ回路、３７…直流電圧指令、３８…ＰＩ制御回路、４１…乗算器、４２…Ｐ制御回路、４３…キャリア発生回路、４４…コンパレータ、４５…ゲート信号出力回路、５１…タイマー回路、５２…コンバータ操作信号、５３…カウンタ出力、５４…ホールド回路、５５…切換回路、５６…直流電圧判定回路、５７…インバータ電流検出信号、５８…インバータ運転判定回路。
【図１】
2004229349.tif 000003
【図２】
2004229349.tif 000004
【図３】
2004229349.tif 000005
【図４】
2004229349.tif 000006
【図５】
2004229349.tif 000007
【図６】
2004229349.tif 000008
【図７】
2004229349.tif 000009
【図８】
2004229349.tif 000010
【図９】
2004229349.tif 000011
【図１０】
2004229349.tif 000012
【図１１】
2004229349.tif 000013
【図１２】
2004229349.tif 000014
【図１３】
2004229349.tif 000015
【図１４】
2004229349.tif 000016
【図１５】
2004229349.tif 000017
【図１６】
2004229349.tif 000018